(57)【要約】【課題】複数の記録媒体に記録された画像データを別の１枚の記録媒体で管理できるように記録することができる記録プログラム及び記録装置の提供。【解決手段】複数の第１の記録媒体から少なくとも画像データと識別情報とを読み取るデータ入力手段９と、該画像データに基づいて、ＤＶＤプレーヤやＤＶＤレコーダ、ＨＤＤレコーダ、ゲーム機などの画像再生機器で再生可能なＶｉｄｅｏ−ＣＤ、ＤＶＤ−Ｖｉｄｅｏ、ＨＤＴＶなどの形式の１又は複数のデータを生成するデータ生成手段１０と、少なくとも画像再生機器用のデータと第１の記録媒体の識別情報とを１枚の第２の記録媒体に記録するデータ記録手段１１とを少なくとも備え、画像データが複数の第１の記録媒体に分散して管理されている場合でも、簡単に１枚の第２の記録媒体にまとめて書き込むことができ、画像データを一括して管理することができる。【選択図】図６
2005353160.tif 000002
【特許請求の範囲】
【請求項１】
複数の第１の記録媒体の各々から、少なくとも画像データと該第１の記録媒体の識別情報とを入力する手段と、
前記複数の第１の記録媒体から入力した複数の前記画像データに基づいて、各々の前記第１の記録媒体の識別情報に関連付けて所定の画像再生機器で再生可能な形式のデータを生成する手段と、
少なくとも前記生成されたデータを１つの第２の記録媒体に記録する手段と、を少なくとも備えることを特徴とする記録装置。
【請求項２】
複数の第１の記録媒体の各々から、少なくとも画像データと該第１の記録媒体の識別情報とを入力する手段と、
前記複数の第１の記録媒体から入力した複数の前記画像データを、各々の前記第１の記録媒体の識別情報に関連付けて所定の画像再生機器で再生するための再生指示情報を生成する手段と、
少なくとも前記複数の画像データと前記再生指示情報とを１つの第２の記録媒体に記録する手段と、を少なくとも備えることを特徴とする記録装置。
【請求項３】
前記入力する手段では、前記第１の記録媒体に前記識別情報が記録されているかを判断し、前記識別情報が記録されている場合に入力を実行することを特徴とする請求項１又は２に記載の記録装置。
【請求項４】
複数の第１の記録媒体の各々から、少なくとも画像データを入力する手段と、
予め定められたルールに従って、各々の前記第１の記録媒体の識別情報を生成する手段と、
前記複数の第１の記録媒体から入力した複数の前記画像データに基づいて、各々の前記第１の記録媒体の識別情報に関連付けて所定の画像再生機器で再生可能な形式のデータを生成する手段と、
少なくとも前記生成されたデータを１つの第２の記録媒体に記録する手段と、を少なくとも備えることを特徴とする記録装置。
【請求項５】
複数の第１の記録媒体の各々から、少なくとも画像データを入力する手段と、
予め定められたルールに従って、各々の前記第１の記録媒体の識別情報を生成する手段と、
前記複数の第１の記録媒体から入力した複数の前記画像データを、各々の前記第１の記録媒体の識別情報に関連付けて所定の画像再生機器で再生するための再生指示情報を生成する手段と、
少なくとも前記複数の画像データと前記再生指示情報とを１つの第２の記録媒体に記録する手段と、を少なくとも備えることを特徴とする記録装置。
【請求項６】
前記所定の画像再生機器で再生可能な形式とは、Ｖｉｄｅｏ−ＣＤ形式、ＤＶＤ−Ｖｉｄｅｏ形式、ＨＤＴＶ形式のいずれかであることを特徴とする請求項１乃至５のいずれか一に記載の記録装置。
【請求項７】
前記所定の画像再生機器で再生可能な形式のデータは、前記各々の第１の記録媒体毎にチャプターで分割されていることを特徴とする請求項６記載の記録装置。
【請求項８】
前記第２の記録媒体は、前記第１の記録媒体よりも記録容量の大きい記録媒体であることを特徴とする請求項１乃至７のいずれか一に記載の記録装置。
【請求項９】
コンピュータを、少なくとも、
入力手段に、複数の第１の記録媒体の各々から、少なくとも画像データと該第１の記録媒体の識別情報とを入力させる手段、
前記複数の第１の記録媒体から入力した複数の前記画像データに基づいて、各々の前記第１の記録媒体の識別情報に関連付けて所定の画像再生機器で再生可能な形式のデータを生成する手段、
記録手段に、少なくとも前記生成されたデータを１つの第２の記録媒体に記録させる手段、として機能させることを特徴とする記録プログラム。
【請求項１０】
コンピュータを、少なくとも、
入力手段に、複数の第１の記録媒体の各々から、少なくとも画像データと該第１の記録媒体の識別情報とを入力させる手段、
前記複数の第１の記録媒体から入力した複数の前記画像データを、各々の前記第１の記録媒体の識別情報に関連付けて所定の画像再生機器で再生するための再生指示情報を生成する手段、
記録手段に、少なくとも前記複数の画像データと前記再生指示情報とを１つの第２の記録媒体に記録させる手段、として機能させることを特徴とする記録プログラム。
【請求項１１】
前記入力させる手段では、前記第１の記録媒体に前記識別情報が記録されているかを判断し、前記識別情報が記録されている場合に前記入力手段に入力を実行させることを特徴とする請求項９又は１０に記載の記録プログラム。
【請求項１２】
コンピュータを、少なくとも、
入力手段に、複数の第１の記録媒体の各々から、少なくとも画像データを入力させる手段、
予め定められたルールに従って、前記第１の記録媒体の識別情報を生成する手段、
前記複数の第１の記録媒体から入力した複数の前記画像データに基づいて、各々の前記第１の記録媒体の識別情報に関連付けて所定の画像再生機器で再生可能な形式のデータを生成する手段、
記録手段に、少なくとも前記生成されたデータを１つの第２の記録媒体に記録させる手段と、として機能させることを特徴とする記録プログラム。
【請求項１３】
コンピュータを、少なくとも、
入力手段に、複数の第１の記録媒体の各々から、少なくとも画像データを入力させる手段、
予め定められたルールに従って、前記第１の記録媒体の識別情報を生成する手段、
前記複数の第１の記録媒体から入力した複数の前記画像データを、各々の前記第１の記録媒体の識別情報に関連付けて所定の画像再生機器で再生するための再生指示情報を生成する手段、
記録手段に、少なくとも前記複数の画像データと前記再生指示情報とを１つの第２の記録媒体に記録させる手段、として機能させることを特徴とする記録プログラム。
【請求項１４】
前記所定の画像再生機器で再生可能な形式とは、Ｖｉｄｅｏ−ＣＤ形式、ＤＶＤ−Ｖｉｄｅｏ形式、ＨＤＴＶ形式のいずれかであることを特徴とする請求項９乃至１３のいずれか一に記載の記録プログラム。
【請求項１５】
前記所定の画像再生機器で再生可能な形式のデータは、前記各々の第１の記録媒体毎にチャプターで分割されていることを特徴とする請求項１４記載の記録プログラム。
【請求項１６】
前記第２の記録媒体は、前記第１の記録媒体以上の記録容量を有することを特徴とする請求項９乃至１５のいずれか一に記載の記録プログラム。
【発明の詳細な説明】
【技術分野】
【０００１】
本発明は、記録プログラム及び記録装置に関し、特に、複数の記録媒体に記録された画像データを別の１つの記録媒体に記録する記録プログラム及び記録装置に関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤやＤＶＤレコーダなどの画像再生機器で再生可能なＶｉｄｅｏ−ＣＤやＤＶＤ−Ｖｉｄｅｏなどの形式のデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
上記サービスを利用することにより、デジタルカメラやメディア等に記録された画像データや画像再生機器用に変換された画像データなどが記録された記録媒体を入手することができるが、例えば、上記サービスを頻繁に利用するユーザの場合、記録媒体の数量が多くなるために記録媒体の保管が煩雑になり、また、多数の記録媒体に分散して記録された画像データを閲覧するために記録媒体を何度も差し替えなければならず不便である。
【０００５】
このような場合に、例えば、ウィンドウズ（登録商標）のエクスプローラなどを用いて、複数の記録媒体に記録された画像データを１つの新たな記録媒体にコピーする方法が考えられるが、この方法では、コンピュータ機器用の画像データはコピーできても、画像再生機器用に生成されたデータはコピーすることができないため、新たな記録媒体を画像再生機器で利用することができなくなってしまう。また、コンピュータ機器用の画像データに関しても、画像データは単に順番にコピーされるのみであり、所定のプログラムで管理しやすい形態で記録されるわけではないため、画像データの管理が困難になる。
【０００６】
また、技術の進歩に伴って新たな機種のコンピュータ機器や画像再生機器が普及した場合には、従前のコンピュータ機器や画像再生機器用に作成された記録媒体ではデータを再生することができなくなる場合も考えられる。例えば、現在のＤＶＤプレーヤやＤＶＤレコーダなどの画像再生機器は、Ｖｉｄｅｏ−ＣＤ形式でデータが記録されたＣＤ−Ｒも再生できるものもあるが、将来、Ｂｌｕ−ｒａｙディスク等の大容量の記録媒体用の画像再生機器が普及した場合には、ＤＶＤ−ＲやＣＤ−Ｒなどの記録媒体が再生できなくなる恐れもある。
【０００７】
このような問題は画像データに限らず、音楽データやコンテンツデータなどの他の種類のデータが記録された記録媒体に関しても同様に生じる。
【０００８】
本発明は、上記問題点に鑑みてなされたものであって、その主たる目的は、複数の記録媒体に記録された画像データを別の１枚の記録媒体で管理できるように記録することができる記録プログラム及び記録装置を提供することにある。
【課題を解決するための手段】
【０００９】
上記目的を達成するため、本発明の記録装置は、複数の第１の記録媒体の各々から、少なくとも画像データと該第１の記録媒体の識別情報とを入力する手段と、前記複数の第１の記録媒体から入力した複数の前記画像データに基づいて、各々の前記第１の記録媒体の識別情報に関連付けて所定の画像再生機器で再生可能な形式のデータを生成する手段と、少なくとも前記生成されたデータを１つの第２の記録媒体に記録する手段と、を少なくとも備えるものである。
【００１０】
また、本発明の記録装置は、複数の第１の記録媒体の各々から、少なくとも画像データと該第１の記録媒体の識別情報とを入力する手段と、前記複数の第１の記録媒体から入力した複数の前記画像データを、各々の前記第１の記録媒体の識別情報に関連付けて所定の画像再生機器で再生するための再生指示情報を生成する手段と、少なくとも前記複数の画像データと前記再生指示情報とを１つの第２の記録媒体に記録する手段と、を少なくとも備えるものである。
【００１１】
本発明においては、前記入力する手段では、前記第１の記録媒体に前記識別情報が記録されているかを判断し、前記識別情報が記録されている場合に入力を実行する構成とすることができる。
【００１２】
また、本発明の記録装置は、複数の第１の記録媒体の各々から、少なくとも画像データを入力する手段と、予め定められたルールに従って、各々の前記第１の記録媒体の識別情報を生成する手段と、前記複数の第１の記録媒体から入力した複数の前記画像データに基づいて、各々の前記第１の記録媒体の識別情報に関連付けて所定の画像再生機器で再生可能な形式のデータを生成する手段と、少なくとも前記生成されたデータを１つの第２の記録媒体に記録する手段と、を少なくとも備えるものである。
【００１３】
また、本発明の記録装置は、複数の第１の記録媒体の各々から、少なくとも画像データを入力する手段と、予め定められたルールに従って、各々の前記第１の記録媒体の識別情報を生成する手段と、前記複数の第１の記録媒体から入力した複数の前記画像データを、各々の前記第１の記録媒体の識別情報に関連付けて所定の画像再生機器で再生するための再生指示情報を生成する手段と、少なくとも前記複数の画像データと前記再生指示情報とを１つの第２の記録媒体に記録する手段と、を少なくとも備えるものである。
【００１４】
本発明においては、前記所定の画像再生機器で再生可能な形式は、Ｖｉｄｅｏ−ＣＤ形式、ＤＶＤ−Ｖｉｄｅｏ形式、ＨＤＴＶ形式のいずれかとすることができ、前記所定の画像再生機器で再生可能な形式のデータは、前記各々の第１の記録媒体毎にチャプターで分割されている構成とすることができる。
【００１５】
また、本発明においては、前記第２の記録媒体は、前記第１の記録媒体よりも記録容量の大きい記録媒体とすることが好ましい。
ものである。
【００１６】
また、本発明の記録プログラムは、コンピュータを、少なくとも、入力手段に、複数の第１の記録媒体の各々から、少なくとも画像データと該第１の記録媒体の識別情報とを入力させる手段、前記複数の第１の記録媒体から入力した複数の前記画像データに基づいて、各々の前記第１の記録媒体の識別情報に関連付けて所定の画像再生機器で再生可能な形式のデータを生成する手段、記録手段に、少なくとも前記生成されたデータを１つの第２の記録媒体に記録させる手段、として機能させるものである。
【００１７】
また、本発明の記録プログラムは、コンピュータを、少なくとも、入力手段に、複数の第１の記録媒体の各々から、少なくとも画像データと該第１の記録媒体の識別情報とを入力させる手段、前記複数の第１の記録媒体から入力した複数の前記画像データを、各々の前記第１の記録媒体の識別情報に関連付けて所定の画像再生機器で再生するための再生指示情報を生成する手段、記録手段に、少なくとも前記複数の画像データと前記再生指示情報とを１つの第２の記録媒体に記録させる手段、として機能させるものである。
【００１８】
また、本発明の記録プログラムは、コンピュータを、少なくとも、入力手段に、複数の第１の記録媒体の各々から、少なくとも画像データを入力させる手段、予め定められたルールに従って、前記第１の記録媒体の識別情報を生成する手段、前記複数の第１の記録媒体から入力した複数の前記画像データに基づいて、各々の前記第１の記録媒体の識別情報に関連付けて所定の画像再生機器で再生可能な形式のデータを生成する手段、記録手段に、少なくとも前記生成されたデータを１つの第２の記録媒体に記録させる手段と、として機能させるものである。
【００１９】
また、本発明の記録プログラムは、コンピュータを、少なくとも、入力手段に、複数の第１の記録媒体の各々から、少なくとも画像データを入力させる手段、予め定められたルールに従って、前記第１の記録媒体の識別情報を生成する手段、前記複数の第１の記録媒体から入力した複数の前記画像データを、各々の前記第１の記録媒体の識別情報に関連付けて所定の画像再生機器で再生するための再生指示情報を生成する手段、記録手段に、少なくとも前記複数の画像データと前記再生指示情報とを１つの第２の記録媒体に記録させる手段、として機能させるものである。
【００２０】
このように、本発明は上記構成により、複数の記録媒体に分散して管理されている画像データを１枚の記録媒体で一括して管理することができる。また、画像再生機器用データ又は再生指示情報の生成に際して、新たな種類の画像再生機器で再生可能な形式のデータ又は再生指示情報を生成したり、第２の記録媒体として新たな種類の記録媒体を用いることにより、技術の進歩に伴って画像再生機器や記録媒体の種類が変わった場合でも画像データを確実に管理することができる。
【発明の効果】
【００２１】
本発明の記録プログラム及び記録装置によれば、下記記載の効果を奏する。
【００２２】
本発明の第１の効果は、複数の第１の記録媒体に分散して管理されている画像データを１枚の第２の記録媒体で一括して管理することができるということである。
【００２３】
その理由は、記録装置又は記録プログラムでは、第１の記録媒体に自身を識別するための識別情報が記録されている場合は、複数の第１の記録媒体の各々から少なくとも画像データと第１の記録媒体の識別情報とを読み取り、各々の第１の記録媒体の識別情報に関連付けて、複数の第１の記録媒体から読み取った画像データから所望の画像再生機器で再生可能な形式のデータを生成し、少なくとも画像再生機器用のデータを１枚の第２の記録媒体に書き込む制御を行うからである。
【００２４】
また、第１の記録媒体に自身を識別するための識別情報が記録されていない場合は、複数の第１の記録媒体の各々から少なくとも画像データを読み取り、予め定められたルールに従って各々の第１の記録媒体の識別情報を生成すると共に、各々の第１の記録媒体の識別情報に関連付けて、複数の第１の記録媒体から読み取った画像データから所望の画像再生機器で再生可能な形式のデータを生成し、少なくとも画像再生機器用のデータを１枚の第２の記録媒体に書き込む制御を行うからである。
【００２５】
また、画像データを直接読み込むことができる画像再生機器を利用する場合には、該画像再生機器で再生可能な形式のデータを生成する代わりに、画像データを所望の画像再生機器で再生するための再生指示情報を生成し、少なくとも読み取った画像データと再生指示情報とを１枚の第２の記録媒体に書き込む制御を行うからである。
【００２６】
また、本発明の第２の効果は、技術の進歩に伴って画像再生機器や記録媒体の種類が変わった場合でも画像データを確実に管理することができるということである。
【００２７】
その理由は、画像再生機器用データ又は再生指示情報の生成に際して、新たな種類の画像再生機器で再生可能な形式のデータ又は新たな種類の画像再生機器で画像データを再生するための再生指示情報を生成したり、第２の記録媒体として新たな種類の記録媒体を用いることができるからである。
【発明を実施するための最良の形態】
【００２８】
本発明の記録装置は、その好ましい一実施の形態において、自らを識別するための識別情報が記録されている複数の第１の記録媒体の各々から少なくとも画像データと第１の記録媒体の識別情報とを読み取るデータ入力手段と、各々の第１の記録媒体の識別情報に関連付けて、複数の第１の記録媒体から入力された画像データから、ＤＶＤプレーヤやＤＶＤレコーダ、ＨＤＤレコーダ、ゲーム機などの画像再生機器で再生可能なＶｉｄｅｏ−ＣＤ、ＤＶＤ−Ｖｉｄｅｏ、ＨＤＴＶなどの形式のデータを生成するデータ生成手段と、少なくとも画像再生機器用のデータを１枚の第２の記録媒体（好ましくは、第１の記録媒体よりも記録容量の大きい１枚の第２の記録媒体）に記録するデータ記録手段とを少なくとも備えるものであり、画像データが複数の第１の記録媒体に分散して管理されている場合でも、簡単に１枚の第２の記録媒体にまとめて書き込むことができ、画像データを一括して管理することができる。また、データ生成手段で所望の種類の画像再生機器に対応した形式のデータや再生指示情報を生成したり、第２の記録媒体として所望の種類の記録媒体を選択することにより、技術の進歩に伴って画像再生機器や記録媒体の種類が変わった場合でも画像データを確実に管理することができる。
【実施例１】
【００２９】
上記実施形態について詳細に説明すべく、本発明の第１の実施例に係る記録プログラム及び記録装置について、図１乃至図１４を参照して説明する。図１乃至図５は、本実施例に係る記録装置の構成を模式的に示す外観図であり、図６は、記録装置の機能を示すブロック図である。また、図７は、本実施例の記録装置を用いたデータの記録手順を示すフローチャート図であり、図８及び図９は、第１の記録媒体におけるデータの記録構造の例、図１０は、第２の記録媒体におけるデータの記録構造の例を示す図である。また、図１１は、記録媒体におけるデータの記録領域を示す図、図１２は記録媒体（ＣＤ−Ｒ）の構造を模式的に示す図である。また、図１３は、画像再生機器の表示手段に表示される画面構成例を示す図であり、図１４は、コンピュータ機器の表示手段に表示される画面構成例を示す図である。
【００３０】
図１に示すように、本実施例の記録装置１は、画像データ（静止画像データ、動画データ、画像情報を含むデータを総称して画像データと呼ぶ。）が記録されている第１の記録媒体７を装填する第１の記録媒体装填部２と、複数の第１の記録媒体７から読み取った画像データに基づいて生成されたデータなどが記録される第２の記録媒体８を装填する第２の記録媒体装填部４と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００３１】
なお、本実施例では、第２の記録媒体８に記録するデータの元になる画像データとして、第１の記録媒体７に記録されている画像データのみを用いる場合について説明するが、第１の記録媒体７以外からも画像データを入力することもできる。その場合は、第１の記録媒体装填部２に加えて、スマートメディア、コンパクトフラッシュ（登録商標）、メモリースティック（登録商標）、ＳＤメモリーカード、マルチメディアカードなどのデジタルカメラ用やカメラ付き携帯電話機用のメディアを装填するメディア装填部や、デジタルカメラやカメラ付き携帯電話機等の撮影機器を有線又は無線、赤外線等によって接続するための機器接続部、インターネット等の通信ネットワークを介してサーバからデータをダウンロードするネットワーク接続部等の他のデータ入力手段を設ければよい。また、図では、第１の記録媒体装填部２及び第２の記録媒体装填部４の双方を１つずつ備える構成を示しているが、１つの記録媒体装填部を用いて第１の記録媒体７からの画像データを読み取った後に、第２の記録媒体８に生成されたデータを記録するようにしてもよいし、第１の記録媒体装填部２を複数設けて、複数の第１の記録媒体７を装填できるようにしてもよい。また、第１の記録媒体７及び第２の記録媒体８は、ＣＤ−Ｒ／ＲＷやＤＶＤ±Ｒ／ＲＷ、ＤＶＤ−ＲＡＭ、Ｂｌｕ−ｒａｙディスク等の中から任意に選択することができるが、複数の第１の記録媒体７の画像データを１枚の第２の記録媒体８に書き込むことから、第２の記録媒体８は第１の記録媒体７よりもデータの記録容量が大きいもの（例えば、第１の記録媒体７がＣＤ−Ｒの場合は第２の記録媒体８はＤＶＤ−Ｒ）とすることが好ましい。
【００３２】
上記記録装置１の機能をブロック図で示すと図６のようになる。すなわち、複数の第１の記録媒体装填部２に装填された第１の記録媒体７から、画像データや第１の記録媒体７の識別情報、必要に応じて第１の記録媒体７や画像データに関する情報が記述された情報ファイル、音楽データ、アプリケーションなどを入力するデータ入力手段９と、各々の第１の記録媒体に関連付けて、複数の第１の記録媒体から入力した画像データから、ＤＶＤプレーヤやＤＶＤレコーダ、ＨＤＤレコーダ、ゲーム機などの画像再生機器で再生可能なＶｉｄｅｏ−ＣＤ、ＤＶＤ−Ｖｉｄｅｏ、ＨＤＴＶ等の形式のデータを生成したり、必要に応じてオリジナルの画像データのデータサイズを縮小したサムネイル画像データやスクリーンネイル画像データなどの縮小画像データを生成するデータ生成手段１０と、第２の記録媒体装填部４に装填された第２の記録媒体８に、画像再生機器用のデータや、必要に応じて情報ファイル、オリジナル画像データ、縮小画像データなどを記録するデータ記録手段１１と、表示手段５及び操作手段６とを備えている。
【００３３】
上記各手段は記録装置１内にハードウェアとして構成されていてもよいし、コンピュータを、データ入力手段９、データ生成手段１０、データ記録手段１１などとして機能させる記録プログラムとして構成し、該記録プログラムをコンピュータ機器にインストールして上記手段として実行させる構成としてもよい。また、図１では、記録装置１として、写真店やコンビニエンスストア等の店舗に設置可能なキオスク型の記録装置１を記載しているが、記録装置１の形態は任意であり、例えば、図２に示すようにパーソナルコンピュータなどのコンピュータ機器としてもよいし、図３に示すように専用のセットトップボックスとしたり、図４に示すようにポータブルライタとしたり、図５に示すようにＤＶＤレコーダやＨＤＤレコーダとしてもよいし、演算処理機能を備えたカーナビゲーション機器などとしてもよい。
【００３４】
次に、図７のフローチャート図を参照して、複数の第１の記録媒体７に記録された画像データ等を１枚の第２の記録媒体８に記録する手順について説明する。なお、以下の説明では、第１の記録媒体７をＣＤ−Ｒ、第２の記録媒体８をＤＶＤ−Ｒとし、２枚の第１の記録媒体７に記録された画像データ等を１枚の第２の記録媒体８に記録するものとする。また、記録装置１には第１の記録媒体装填部２と第２の記録媒体装填部４とを各々１つずつ備えるものとする。
【００３５】
まず、ステップＳ１０１で、第１の記録媒体装填部２に第１の記録媒体７を装填すると共に、第２の記録媒体装填部４に第２の記録媒体８を装填する。上記第２の記録媒体８はデータが記録されていないものを用いてもよいし、画像データを電子アルバムとして管理する管理プログラムや画像データをスライド表示するスライドショープログラムなどの他のプログラム、音楽データなどが予め記録されていてもよい。また、第２の記録媒体８は必ずしもこのステップで装填する必要はなく、識別情報の判定（ステップＳ１０７）又はデータの記録（ステップＳ１０８）が行われる前の任意のステップで装填されていればよい（以下の実施例において同じ。）。
【００３６】
次に、第１の記録媒体７に記録されている画像データの読み取りを行う。その際、任意の第１の記録媒体７に記録されている画像データを読み取ってもよいが、複数の第１の記録媒体７に記録されている画像データの管理を容易にするために、特定の種類の第１の記録媒体７に記録されている画像データのみを読み取るようにすることもでき、その場合は、ステップＳ１０２で、第１の記録媒体７に予め定められた識別情報が記録されているかを判断する。なお、この第１の記録媒体７の識別情報の構成、識別情報の記録場所などは限定されず、例えば、識別情報がコンピュータのＯＳではアクセスできない領域（すなわち、論理アドレス領域外）に書き込まれている構成とすることもできる。
【００３７】
ここで、一般的な記録媒体の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称などの情報を第１の記録媒体７の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に第１の記録媒体７の識別情報を書き込むことにより、識別情報自体がコピーされないようにすることができる。
【００３８】
そして、第１の記録媒体７に予め定められた識別情報が記録されていない場合は、第１の記録媒体装填部２から第１の記録媒体７を排出し、ステップＳ１０１で次の第１の記録媒体７を装填する。また、第１の記録媒体７に予め定められた識別情報が記録されている場合は、ステップＳ１０３で、データ入力手段９を用いて第１の記録媒体７に記録された画像データ及び上記識別情報と、必要に応じて、第１の記録媒体７や画像データに関する各種情報が記述された情報ファイル、画像データを音楽付きスライドショーとして再生するためのＢＧＭとして利用する音楽データ、アプリケーションなどを読み取る。
【００３９】
ここで、第１の記録媒体７の識別情報を読み取っているのは、１枚の第１の記録媒体７に記録された画像データを１枚の第２の記録媒体８に記録する場合は該画像データの記録元が不明確になることはないが、複数の第１の記録媒体７に記録された画像データを１枚の第２の記録媒体８に記録する場合は、所定の画像データがどの第１の記録媒体７に記録されていた画像データであるかを判別することができなくなってしまうからである。
【００４０】
なお、この第１の記録媒体７におけるデータの記録構造は特に限定されず、各種データが分類されずに羅列して記録されていてもよいし、各種データが所定のフォルダに分類して記録されていてもよい。また、画像データとして、オリジナルの画像データのみが記録されていてもよいし、オリジナルの画像データのデータサイズを縮小したサムネイル画像データやスクリーンネイル画像データなどの縮小画像データや、画像データを画像再生機器で再生できる形式（ここではＶｉｄｅｏ−ＣＤ形式）のデータなどが記録されていてもよい。
【００４１】
例えば、図８に示すように、”PS_Roll”フォルダ内の画像データ、サムネイル画像データ、スクリーンネイル画像データなどの複数の種別の画像データ（画像データ群）、第１の記録媒体７や画像データに関する各種情報が記述された情報ファイル（info.txt）、”APPL”フォルダ内のスライドショープログラム、スライドショーの設定ファイル、自動起動ファイル（Autorun.inf）などのコンピュータ機器用データ群と、”VCD”フォルダ内の画像データをＶｉｄｅｏ−ＣＤ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどの画像再生機器用データ群とからなる構成としてもよい。また、画像データ群を第２の記録媒体８に記録した場合における管理を容易にするために、予め定められたルールに従ってフォルダを構成し、そのフォルダにユニークな名称を付与することもできる。例えば、画像データの格納場所を示すフォルダ（PS_Roll）の下位の階層にメディア毎、機器毎、フィルム毎の画像データの格納場所を示すフォルダ（ROYYMMDDyyy_XXXXXXAABxxx、ここではRO030416001_12345601C001）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などすることもできる。
【００４２】
次に、ステップＳ１０４で、次にデータを読み取る第１の記録媒体７があるかを判断し、別の第１の記録媒体７がある場合はステップＳ１０１に戻り、別の第１の記録媒体７がない場合はステップＳ１０５以降の処理を行う。ここでは、第１の記録媒体７を２枚としているため、ステップＳ１０１に戻って、第１の記録媒体装填部２に２枚目の第１の記録媒体７を装填し、ステップＳ１０２で必要に応じて識別情報が記録されているかを判断し、記録されている場合はステップＳ１０３で画像データや識別情報、情報ファイル、音楽データ、アプリケーションなどのデータを読み取る。この２枚目の第１の記録媒体７におけるデータの記録構造も任意であり、１枚目の第１の記録媒体７と同じ記録構造としてもよいし、異なる記録構造としてもよい。ここでは、１枚目の第１の記録媒体７と同じ記録構造とし、図９に示すような名称のフォルダに各種データが記録されているとする。
【００４３】
次に、ステップＳ１０５で、必要に応じて、データ生成手段１０を用いて読み取った画像データのデータサイズを縮小したサムネイル画像データやスクリーンネイル画像データなどの縮小画像データを生成する。本実施例の構成の場合は、双方の第１の記録媒体７に予め縮小画像データが記録されているため、縮小画像データを生成する必要はないが、例えば、一方又は双方の第１の記録媒体７に縮小画像データが記録されていない場合や、一方の種類の縮小画像データ（例えば、サムネイル画像データ）のみが記録されている場合、縮小画像データは記録されているがモニタの解像度の向上に伴ってより解像度の高いスクリーンネイル画像データが必要になった場合などには縮小画像データの生成を行う。また、この縮小画像データは入力した画像データよりもデータサイズが小さいものであればよく、例えば、画素数を減縮した画像データや色数、色再現域を減縮した画像データなどとすることができる。
【００４４】
次に、ステップＳ１０６で、情報ファイルに記述された画像データに関する情報や画像データを解析して得た情報などを参照して、データ生成手段１０を用いて、読み取った画像データに基づいて、ＤＶＤプレーヤやＤＶＤレコーダ、ＨＤＤレコーダ、ゲーム機等の画像再生機器で読み取り可能な形式のデータ（ここでは第２の記録媒体８としてＤＶＤ−Ｒを用いるため、ＤＶＤ−Ｖｉｄｅｏ形式のデータ）を生成する。上記画像データから画像再生機器用のデータを生成する方法は特に限定されないが、例えば、静止画像データをスライドショーのように表示する場合は、静止画像データにスライド表示の時間分の差分０のデータを付加してＭＰＥＧ２形式の動画データを生成したり、静止画像データにスライドショープログラムで設定されたスライド効果に基づく差分データを付加してＭＰＥＧ２形式の動画データを生成した後、ＤＶＤ−Ｖｉｄｅｏ形式のデータに変換すればよい。
【００４５】
ここで、複数の第１の記録媒体７に記録された画像データが単純に連続して再生されるようにすると、再生されている画像データがどの第１の記録媒体７に記録されていたものであるかを判別することができないため、画像再生機器用のデータを生成する際に、画像データと各々の第１の記録媒体７の識別情報と関連付けることが好ましい。関連付けの方法としては、例えば、画像再生機器用のデータを第１の記録媒体７毎にチャプターで分割されたデータとし、各々のチャプターのタイトルとして識別情報を用いることができる。また、画像データから画像再生機器用のデータを生成する際に、各々の画像データに基づく画像に第１の記録媒体７の識別情報を合成して画面上に識別情報が表示されるようにしたり、各々の第１の記録媒体の画像データに基づく画像が表示される前に該第１の記録媒体の識別情報が表示されるようにすることもでき、このような処理を施すことにより画像データと第１の記録媒体７とを確実に関連付けることができ、複数の第１の記録媒体７に記録された画像データを１枚の第２の記録媒体８で容易に管理することができる。
【００４６】
次に、第２の記録媒体８にデータを記録するが、その際、任意の第２の記録媒体８に対してデータの記録ができるようにしてもよいし、特定の第２の記録媒体８に対してのみデータの記録を許可するようにしてもよい。後者の場合は、例えば、ステップＳ１０７で、記憶手段に予め記憶された位置情報（例えば、物理アドレス）を参照して、該位置に予め特定の識別情報が書き込まれているか否かを判断し、識別情報が書き込まれている場合にのみデータの記録を開始する構成とすることができる。
【００４７】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部は、上述したようにコンピュータのＯＳではアクセスできない領域（すなわち、論理アドレス領域外）、具体的にはディスク型記録媒体の論理アドレス領域の内側の領域に書き込まれていることが好ましい。なお、識別情報の具体的な構成は任意であるが、上記したように第２の記録媒体８の論理アドレス領域外にはメーカの名称が予め記録されていることから、このメーカの名称と第２の記録媒体８に対して付与される番号とを識別情報として用いることにより、第２の記録媒体８が正規に作成されたものか否かを簡単かつ確実に識別することができる。
【００４８】
そして、識別情報が書き込まれている第２の記録媒体８にデータを記録するが、画像再生機器ではデータを読み込むことができる記録領域が限定されるため、ステップＳ１０８で、生成された画像再生機器用のデータや関連付けファイル等（以下、これらを総称して画像再生機器用データ群と呼ぶ。）を予め設けた書き込み用の所定のフォルダに転送した後、該フォルダから画像再生機器用データ群を読み出して、第２の記録媒体８の論理アドレス領域の内側に記録する。ここで、従来の記録装置又は記録プログラムでは、第１の記録媒体７に記録されている画像再生機器用データは第２の記録媒体８にコピーすることはできなかったが、本実施例では、複数の第１の記録媒体７に記録されている画像データから新たな画像再生機器用のデータを生成して第２の記録媒体８に記録しているため、第２の記録媒体８を画像再生機器で利用することができる。その後、ステップＳ１０９で、コンピュータ機器用のデータの記録を行う前に、必要に応じて、画像再生機器で使用可能なデータの領域を区分するために一旦セッションをクローズする。
【００４９】
次に、ステップＳ１１０で、必要に応じて、オリジナル画像データ、縮小画像データ、情報ファイル、スライドショープログラムなどのアプリケーション、音楽データなど（以下、これらを総称してコンピュータ機器用データ群と呼ぶ。）を予め設けた書き込み用の所定のフォルダに転送した後、該フォルダからコンピュータ機器用データ群を読み出して、第２の記録媒体８に先に記録された画像再生機器用データ群の外側に記録して一連の書き込み処理を終了する。
【００５０】
上記手順で作成された第２の記録媒体８には図１０に示すように各種情報が記録され、第２の記録媒体８の最も内側の論理アドレス領域外には、必要に応じて所定の形式（好ましくはファイル形式でないデータ形式）の第２の記録媒体８の識別情報が記録され、その外側の論理アドレス領域の内側には、画像再生機器用データ群が記録され、更にその外側には必要に応じてコンピュータ機器データ群が記録される。
【００５１】
上記画像データ群の記録構造は任意であり、第１の記録媒体７に予め所定のフォルダが形成されている場合は、その記録構造を維持したままデータを記録すればよいし、第１の記録媒体７に画像データが分類して記録されていない場合は、予め定められたルールに従ってフォルダを構成し、そのフォルダにユニークな名称を付与することもできる。例えば、上記手順で画像再生機器用データとコンピュータ機器用データとが記録された第２の記録媒体８の記録構造は、図１０に示すようになり、”RO030416001_12345601C001”フォルダ内の、１枚目の第１の記録媒体７に記録されている画像データ群及び１枚目の第１の記録媒体７の識別情報を含む情報ファイルと、”RO030820001_12345601C001”フォルダ内の、２枚目の第１の記録媒体７に記録されている画像データ群及び２枚目の第１の記録媒体７の識別情報を含む情報ファイルと、”APPL”フォルダ内のスライドショープログラム、スライドショーの設定ファイル、自動起動ファイル（Autorun.inf）などでコンピュータ機器用データ群が構成され、”VIDEO_TS”フォルダ内の制御用データやコンテンツデータ（例えば、VIDEO_TS.IFO、VIDEO_TS.VOB、VIDEO_TS.BUP、VTS_**_0.IFO、VTS_**_0.BUP、VTS_**_0.VOB、VTS_**_1.VOB…）などで画像再生機器用データ群が構成される。
【００５２】
なお、図１０では、第１の記録媒体７の識別情報をテキスト形式の情報ファイル（info.txt）に記述したが、情報ファイルの形式は任意であり、例えば、写真業界で推奨されている専用のファイル（例えば、ARyyyymmdd_xxxxxxx.pvm）などとしてもよい。この形式のファイルには、現在及び次世代の画像再生機器での再生指示情報（例えば、再生順やスライド間隔、スライド効果、画像回転、ＢＧＭなど）や画像検索情報（マニュアル入力された情報やアプリケーションで自動認識される情報、撮影時に記録される画像ヘッダ情報など）、データ履歴情報（コピーや移住に関する情報、画像データの保管パス情報など）、ＩＤ情報（ディスクＩＤやショップＩＤ、ショップＵＲＬなど）が記録されるため、画像データを所望の画像再生機器で再生することが可能となる。
【００５３】
このように、上記手順で作成された第２の記録媒体８には、画像データの記録元の第１の記録媒体７の識別情報に関連付けて生成された画像再生機器用データが記録されているため、画像データに基づく画像と第１の記録媒体７の識別情報とを対応付けて画像再生機器に表示させることができる。例えば、図１３（ａ）に示すように、複数の第１の記録媒体７に記録された画像を、各々の第１の記録媒体７毎にチャプターで分割して表示させたり、図１３（ｂ）に示すように、各々の画像データに基づく画像に記録元の第１の記録媒体７の識別情報（”０３４Ｇ００１１２３４５６０１Ｃ”や”０３８Ｋ００１１２３４５６０１Ｃ”など）が合成された画面を表示させたり、図１３（ｃ）に示すように、第１の記録媒体７に記録された画像データに基づく画像が表示される前に識別情報を表示させることができる。
【００５４】
また、第２の記録媒体８にコンピュータ機器用データが記録される場合は、画像データに基づく画像と第１の記録媒体７の識別情報とを対応付けてコンピュータ機器に表示させることもできる。例えば、所定の管理プログラムを用いて、図１４に示すように、画像データ群を識別するためのタグ表示欄１４と、記録媒体単位で保存、管理されている画像データに基づく画像が一覧形式で表示される画像表示欄１５と、画像データを用いた処理が選択可能に表示される作業メニュー欄１６などを設けた画像表示画面１３を表示し、画像表示欄１５に２枚目の第１の記録媒体７に記録されていた画像データに基づく画像が表示されている場合に、画像表示欄１５のアルバムＩＤ欄に”０３８Ｋ００１１２３４５６０１Ｃ”などの識別情報を表示させることができる。
【００５５】
このように、本実施例の記録プログラム及び記録装置では、複数の第１の記録媒体７から少なくとも画像データと識別情報とを読み取り、識別情報に関連付けて、所定の画像再生機器で再生可能な形式のデータを生成し、生成したデータと必要に応じて情報ファイルやオリジナルの画像データ、縮小画像データなどを第２の記録媒体８にまとめて記録するため、複数の第１の記録媒体７に記録された画像データを１枚の第２の記録媒体８で簡単かつ確実に管理することができる。
【実施例２】
【００５６】
次に、本発明の第２の実施例に係る記録プログラム及び記録装置について、図１５及び図１６を参照して説明する。図１５は、本実施例に係る記録装置の機能を示すブロック図であり、図１６は、本実施例の記録装置を用いたデータの記録手順を示すフローチャート図である。
【００５７】
前記した第１の実施例では、第１の記録媒体７の識別情報が予め第１の記録媒体７に書き込まれている構成としたが、本実施例では、第１の記録媒体７に識別情報が記録されていない場合であっても、記録元の第１の記録媒体７と画像データとを対応付けて第２の記録媒体８に記録できるように、記録装置１（又は記録プログラム）を構成する。
【００５８】
具体的には、本実施例の記録装置１は、図１５に示すように、第１の記録媒体装填部２に装填された第１の記録媒体７から、画像データと、必要に応じて、第１の記録媒体７や画像データに関する各種情報が記述された情報ファイル、音楽データ、アプリケーション等を入力するデータ入力手段９と、予め定められたルールに従って第１の記録媒体７の識別情報を生成する識別情報生成手段１２と、各々の第１の記録媒体に関連付けて、複数の第１の記録媒体に記録された画像データから、ＤＶＤプレーヤやＤＶＤレコーダ、ＨＤＤレコーダ、ゲーム機などの画像再生機器で再生可能なＶｉｄｅｏ−ＣＤ、ＤＶＤ−Ｖｉｄｅｏ、ＨＤＴＶ等の形式のデータを生成したり、必要に応じてサムネイル画像データやスクリーンネイル画像データなどの縮小画像データを生成するデータ生成手段１０と、第２の記録媒体装填部４に装填された第２の記録媒体８に、画像再生機器用のデータや、必要に応じて情報ファイルやオリジナル画像データ、縮小画像データなどを記録するデータ記録手段１１と、表示手段５及び操作手段６とを備えている。
【００５９】
上記各手段は記録装置１内にハードウェアとして構成されていてもよいし、コンピュータを、データ入力手段９、識別情報生成手段１２、データ生成手段１０、データ記録手段１１などとして機能させる記録プログラムとして構成し、該記録プログラムをコンピュータ機器にインストールして上記手段として実行させる構成としてもよい。
【００６０】
次に、図１６のフローチャート図を参照して、複数の第１の記録媒体７に記録された画像データ等を１枚の第２の記録媒体８に記録する手順について説明する。なお、以下の説明では、第１の実施例と同様に、第１の記録媒体７をＣＤ−Ｒ、第２の記録媒体８をＤＶＤ−Ｒとし、２枚の第１の記録媒体７に記録された画像データ等を１枚の第２の記録媒体８に記録するものとする。また、記録装置１には第１の記録媒体装填部２と第２の記録媒体装填部４とを各々１つずつ備えるものとする。
【００６１】
まず、ステップＳ２０１で、記録装置１の第１の記録媒体装填部２に第１の記録媒体７を装填すると共に、第２の記録媒体装填部４に第２の記録媒体８を装填する。次に、ステップＳ２０２で、データ入力手段９を用いて第１の記録媒体７に記録された画像データと、必要に応じて情報ファイルや画像データを音楽付きスライドショーとして再生するためのＢＧＭとして利用する音楽データ、アプリケーションなどを読み取る。
【００６２】
なお、本実施例においても、この第１の記録媒体７におけるデータの記録構造は特に限定されず、各種データが分類されずに羅列して記録されていてもよいし、各種データが所定のフォルダに分類して記録されていてもよい。また、画像データとして、オリジナルの画像データのみが記録されていてもよいし、オリジナルの画像データのデータサイズを縮小したサムネイル画像データやスクリーンネイル画像データなどの縮小画像データや、画像データを画像再生機器で再生できる形式（ここではＶｉｄｅｏ−ＣＤ形式）のデータなどが記録されていてもよい。また、画像データ群を第２の記録媒体８に記録した場合における管理を容易にするために、予め定められたルールに従ってフォルダを構成し、そのフォルダにユニークな名称を付与する構成としてもよい。
【００６３】
次に、ステップＳ２０３で、識別情報生成手段１２を用いて、この第１の記録媒体７に付与する識別情報を生成する。この識別情報は複数の第１の記録媒体７の各々を識別できるものであればどのような構成としてもよいが、画像データの管理を容易にするためにはユニークな名称とすることが好ましく、例えば、第１の実施例と同様に、YYMDyyyXXXXXXAAB、YYMD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）などとすることもできる。そして、生成された識別情報を所定の情報ファイル（例えば、テキストファイルや写真業界で推奨されるｐｖｍ形式のファイルなど）に記述し、入力した画像データに関連付けて記録する。
【００６４】
次に、ステップＳ２０４で、次にデータを読み取る第１の記録媒体７があるかを判断し、別の第１の記録媒体７がある場合はステップＳ２０１に戻り、別の第１の記録媒体７がない場合はステップＳ２０５以降の処理を行う。ここでは、第１の記録媒体７を２枚としているため、ステップＳ２０１で、第１の記録媒体装填部２に２枚目の第１の記録媒体７を装填して、ステップＳ２０２でデータ入力手段９を用いて画像データや情報ファイル、音楽データ、アプリケーションなどのデータを読み取り、ステップＳ２０３で同様に識別情報生成手段１２を用いて２枚目の第１の記録媒体７に付与する識別情報を生成する。
【００６５】
次に、ステップＳ２０５で、必要に応じて、データ生成手段１０を用いて読み取った画像データのデータサイズを縮小したサムネイル画像データやスクリーンネイル画像データなどの縮小画像データを作成した後、ステップＳ２０６で、情報ファイルに記述された画像データに関する情報や画像データを解析して得た情報などを参照して、データ生成手段１０を用いて読み取った画像データをＤＶＤプレーヤやＤＶＤレコーダ、ＨＤＤレコーダ、ゲーム機等の画像再生機器で読み取り可能な形式のデータを生成する。その際、第１の実施例と同様に、画像再生機器用のデータは各々の第１の記録媒体７毎にチャプターで分割されたデータとしてもよいし、画像データに基づく画像に各々の識別情報を合成したり、各々の第１の記録媒体の画像データに基づく画像が表示される前に該第１の記録媒体の識別情報が表示されるようにするなど、画像データと各々の第１の記録媒体７とを関連付けることが好ましい。
【００６６】
次に、必要に応じて、正規に作成された第２の記録媒体８に対してのみデータの記録を許可するために、例えば、ステップＳ２０７で、記憶手段に予め記憶された位置情報（例えば、物理アドレス）を参照して、該位置に予め特定の識別情報が書き込まれているか否かを判断し、識別情報が書き込まれている場合にのみデータの記録を開始する。
【００６７】
そして、ステップＳ２０８で、生成された画像再生機器用のデータや関連付けファイルなどの画像再生機器用データ群を予め設けた書き込み用の所定のフォルダに転送した後、該フォルダから画像再生機器用データ群を読み出して、第２の記録媒体８の論理アドレス領域の内側に記録する。その後、ステップＳ２０９で、コンピュータ機器用のデータの記録を行う前に、必要に応じて、画像再生機器で使用可能なデータの領域を区分するために一旦セッションをクローズする。
【００６８】
次に、ステップＳ２１０で、必要に応じて、オリジナル画像データ、縮小画像データ、情報ファイル、スライドショープログラムなどのアプリケーション、設定ファイル、音楽データなどのコンピュータ機器用データ群を予め設けた書き込み用の所定のフォルダに転送した後、該フォルダからコンピュータ機器用データ群を読み出して、第２の記録媒体８に先に記録された画像再生機器用データ群の外側に記録して一連の書き込み処理を終了する。
【００６９】
このように、本実施例の記録プログラム及び記録装置では、複数の第１の記録媒体７から画像データを読み取り、各々の第１の記録媒体７に対して識別情報を生成した後、識別情報に関連付けて、所定の画像再生機器で再生可能な形式のデータを生成し、画像再生機器用データ必要に応じて情報ファイルやオリジナルの画像データ、縮小画像データなどを第２の記録媒体８にまとめて記録するため、複数の第１の記録媒体７に記録された画像データを１枚の第２の記録媒体８で簡単かつ確実に管理することができる。
【実施例３】
【００７０】
次に、本発明の第３の実施例に係る記録プログラム及び記録装置について、図１７及び図１８を参照して説明する。図１７は、本実施例の記録装置を用いたデータの記録手順を示すフローチャート図であり、図１８は、第２の記録媒体におけるデータの記録構造の例を示す図である。
【００７１】
前記した第１及び第２の実施例では、記録装置１（又は記録プログラム）のデータ生成手段１０を用いて画像再生機器用のデータを生成したが、画像再生機器の中には第２の記録媒体８から直接画像データを読み込み、画像再生機器内でデータ変換を行って表示手段に表示させる機能を有するものもある。そこで、本実施例ではこのような画像再生機器で使用できる形態で第２の記録媒体８に画像データを記録する。
【００７２】
以下、図１７のフローチャート図を参照して、複数の第１の記録媒体７に記録された画像データ等を１枚の第２の記録媒体８に記録する手順について説明する。なお、以下の説明では、第１及び第２の実施例と同様に、第１の記録媒体７をＣＤ−Ｒ、第２の記録媒体８をＤＶＤ−Ｒとし、２枚の第１の記録媒体７に記録された画像データ等を１枚の第２の記録媒体８に記録するものとする。また、記録装置１には第１の記録媒体装填部２と第２の記録媒体装填部４とを各々１つずつ備えるものとする。
【００７３】
まず、ステップＳ３０１で、記録装置１の第１の記録媒体装填部２に第１の記録媒体７を装填すると共に、第２の記録媒体装填部４に第２の記録媒体８を装填する。次に、ステップＳ３０２で、第１の記録媒体７に予め定められた識別情報が記録されているかを判断し、識別情報が記録されていない場合はステップＳ３０１に戻り、識別情報が記録されている場合は、ステップＳ３０３で、データ入力手段９を用いて第１の記録媒体７に記録された画像データや識別情報、必要に応じて情報ファイル、画像データを音楽付きスライドショーとして再生するためのＢＧＭとして利用する音楽データ、アプリケーションなどを読み取る。
【００７４】
なお、本実施例では、所定の識別情報が記録されている第１の記録媒体７のみからデータを入力する構成としているが、第２の実施例に示したように、所定の識別情報が記録されていない第１の記録媒体７に対して予め定められたルールに従って識別情報を生成する構成としてもよい。また、第１及び第２の実施例と同様に、この第１の記録媒体７におけるデータの記録構造は特に限定されず、各種データが羅列して記録されていてもよいし、各種データが所定のフォルダに分類して記録されていてもよい。また、画像データとして、オリジナルの画像データのみが記録されていてもよいし、オリジナルの画像データのデータサイズを縮小したサムネイル画像データやスクリーンネイル画像データなどの縮小画像データや、画像データを画像再生機器で再生できる形式（ここではＶｉｄｅｏ−ＣＤ形式）のデータなどが記録されていてもよい。また、画像データ群を第２の記録媒体８に記録した場合における管理を容易にするために、予め定められたルールに従ってフォルダを構成し、そのフォルダにユニークな名称を付与する構成としてもよい。
【００７５】
次に、ステップＳ３０４で、次にデータを読み取る第１の記録媒体７があるかを判断し、別の第１の記録媒体７がある場合はステップＳ３０１に戻り、別の第１の記録媒体７がない場合はステップＳ３０５以降の処理を行う。ここでは、第１の記録媒体７が２枚あるため、ステップＳ３０１で、第１の記録媒体装填部２に２枚目の第１の記録媒体７を装填して、ステップＳ３０２で識別情報が記録されているかを判断し、記録されている場合はステップＳ３０３で画像データや情報ファイル、音楽データ、アプリケーションなどのデータを読み取る。
【００７６】
次に、ステップＳ３０５で、必要に応じて、読み取った画像データのデータサイズを縮小したサムネイル画像データやスクリーンネイル画像データなどの縮小画像データを作成する。
【００７７】
次に、前記した第１及び第２の実施例では、読み取った画像データをＤＶＤプレーヤやＤＶＤレコーダ、ＨＤＤレコーダ、ゲーム機等の画像再生機器で読み取り可能な形式のデータを生成したが、上述したように画像再生機器の中には、直接画像データを読み取って画像再生機器内でデータの生成が可能な機種もあるため、本実施例では画像再生機器用のデータを生成する代わりに、ステップＳ３０６で、情報ファイルに記述された画像データに関する情報や画像データを解析して得た情報などを参照して、データ生成手段１０を用いて、画像再生機器で画像データを再生するための再生指示情報を生成する。この再生指示情報の構成も任意であるが、例えば、再生する対象となる画像データのファイル名や該画像データの記録場所を特定する情報、再生の順番などの情報を含む構成とすることができる。
【００７８】
次に、必要に応じて、正規に作成された第２の記録媒体８に対してのみデータの記録を許可するために、例えば、ステップＳ３０７で、記憶手段に予め記憶された位置情報（例えば、物理アドレス）を参照して、該位置に予め特定の識別情報が書き込まれているか否かを判断し、識別情報が書き込まれている場合にのみデータの記録を開始する。
【００７９】
そして、ステップＳ３０８で、画像データを画像再生機器で再生するための再生指示情報などの画像再生機器用データ群を予め設けた書き込み用の所定のフォルダに転送した後、該フォルダから画像再生機器用データ群を読み出して、第２の記録媒体８の論理アドレス領域の内側に記録する。その後、ステップＳ３０９で、コンピュータ機器用のデータの記録を行う前に、必要に応じて、画像再生機器で使用可能なデータの領域を区分するために一旦セッションをクローズする。
【００８０】
次に、ステップＳ３０９で、画像データと、必要に応じて情報ファイル、縮小画像データ、スライドショープログラムなどのアプリケーションや設定ファイル、音楽データなどのコンピュータ機器用データ群を予め設けた書き込み用の所定のフォルダに転送した後、該フォルダからコンピュータ機器用データ群を読み出して、第２の記録媒体８に先に記録された画像再生機器用データ群の外側に記録して一連の書き込み処理を終了する。
【００８１】
上記手順で作成された第２の記録媒体８におけるデータの記録構造は、例えば図１８に示すようになり、”RO030416001_12345601C001”フォルダ内の、１枚目の第１の記録媒体７に記録されている画像データ群及び１枚目の第１の記録媒体７の識別情報を含む情報ファイルと、”RO030820001_12345601C001”フォルダ内の、２枚目の第１の記録媒体７に記録されている画像データ群及び２枚目の第１の記録媒体７の識別情報を含む情報ファイルと、”APPL”フォルダ内のスライドショープログラム、スライドショーの設定ファイル、自動起動ファイル（Autorun.inf）などでコンピュータ機器用データ群が構成され、画像データを所望の画像再生機器で再生するための再生指示情報（例えば、ｘｍｌ形式のＭＰＶ規格対応再生装置用の再生指示ファイル（03082000112345601C.mpv、03041600112345601C.mpv）やＨｉｇｈＭＡＴ規格対応再生装置用の再生指示ファイルなど）で画像再生機器用データ群が構成される。
【００８２】
このように、本実施例の記録プログラム及び記録装置では、複数の第１の記録媒体７から少なくとも画像データと識別情報とを読み取り、所定の画像再生機器で再生させるための再生指示情報を生成し、オリジナル画像データと再生指示情報と必要に応じて情報ファイルや縮小画像データなどを第２の記録媒体８にまとめて記録するため、複数の第１の記録媒体７に記録された画像データを１枚の第２の記録媒体８で簡単かつ確実に管理することができる。
【００８３】
なお、上記説明では、本発明の記録装置又は記録プログラムを用いて複数の第１の記録媒体７に記録された画像データを１枚の第２の記録媒体８に記録する場合について示したが、本発明は上記実施例に限定されるものではなく、複数の第１の記録媒体７に記録された音楽データなどの他のデータを１枚の第２の記録媒体８に記録する場合についても同様に適用することができる。
【図面の簡単な説明】
【００８４】
【図１】本発明の第１の実施例に係る記録装置の構成を模式的に示す図である。
【図２】本発明の第１の実施例に係る記録装置の他の構成を模式的に示す図である。
【図３】本発明の第１の実施例に係る記録装置の他の構成を模式的に示す図である。
【図４】本発明の第１の実施例に係る記録装置の他の構成を模式的に示す図である。
【図５】本発明の第１の実施例に係る記録装置の他の構成を模式的に示す図である。
【図６】本発明の第１の実施例に係る記録装置の構成を示すブロック図である。
【図７】本発明の第１の実施例に係る記録装置を用いたデータの記録手順を示すフローチャート図である。
【図８】本発明の第１の実施例の第１の記録媒体におけるデータの記録構造を示す図である。
【図９】本発明の第１の実施例の第１の記録媒体におけるデータの記録構造を示す図である。
【図１０】本発明の第１の実施例の第２の記録媒体におけるデータの記録構造を示す図である。
【図１１】本発明の第１の実施例の記録媒体におけるデータの記録領域を模式的に示す図である。
【図１２】記録媒体の構造を模式的に示す図である。
【図１３】画像再生機器の表示手段に表示される画面構成例を示す図である。
【図１４】コンピュータ機器の表示手段に表示される画面構成例を示す図である。
【図１５】本発明の第２の実施例に係る記録装置の構成を示すブロック図である。
【図１６】本発明の第２の実施例に係る記録装置を用いたデータの記録手順を示すフローチャート図である。
【図１７】本発明の第３の実施例に係る記録装置を用いたデータの記録手順を示すフローチャート図である。
【図１８】本発明の第３の実施例の第２の記録媒体におけるデータの記録構造を示す図である。
【符号の説明】
【００８５】
１  記録装置
２  第１の記録媒体装填部
４  第２の記録媒体装填部
５  表示手段
６  操作手段
７  第１の記録媒体
８  第２の記録媒体
９  データ入力手段
１０  データ生成手段
１１  データ記録手段
１２  識別情報生成手段
１３  画像表示画面
１４  タグ表示欄
１５  画像表示欄
１６  作業メニュー欄
１７  識別情報
１００  ポリカーボネート基板
１０１  有機色素層
１０２  反射層
１０３  保護層
【図１】
2005353160.tif 000003
【図２】
2005353160.tif 000004
【図３】
2005353160.tif 000005
【図４】
2005353160.tif 000006
【図５】
2005353160.tif 000007
【図６】
2005353160.tif 000008
【図７】
2005353160.tif 000009
【図８】
2005353160.tif 000010
【図９】
2005353160.tif 000011
【図１０】
2005353160.tif 000012
【図１１】
2005353160.tif 000013
【図１２】
2005353160.tif 000014
【図１３】
2005353160.tif 000015
【図１４】
2005353160.tif 000016
【図１５】
2005353160.tif 000017
【図１６】
2005353160.tif 000018
【図１７】
2005353160.tif 000019
【図１８】
2005353160.tif 000020